【手続補正書】
【提出日】平成21年4月27日(2009.4.27)
【手続補正１】
【補正対象書類名】特許請求の範囲
【補正対象項目名】全文
【補正方法】変更
【補正の内容】
【特許請求の範囲】
【請求項１】
（Ａ）下記の共重合体のうちの少なくとも一種：
（ｉ）下記の成分をラジカル共重合させることにより得られた共重合体：
（ａ）モノエチレン性不飽和のＣ3−Ｃ28モノカルボン酸もしくはそのエステル、またはＣ4−Ｃ28ジカルボン酸、その無水物もしくはエステルのうちの少なくとも一種、
（ｂ）炭素原子２〜４０個を含む１−オレフィン、あるいは炭素原子４〜３６０個を含み、かつビニル基、ビニリデン基もしくはアルキルビニリデン基もしくはそれらの混合物の形の共重合可能な末端基を持つ少なくとも一種のポリオレフィンの少なくとも一種、および
（ｃ）上記(ａ)及び(ｂ)の単量体と共重合が可能で、かつ下記からなる群より選ばれる少なくとも一種のモノオレフィン化合物：
（１）アルキル基が、ヒドロキシル、アミノ、ジアルキルアミノもしくはアルコキシで置換されているか、あるいは未置換であって、かつ炭素原子１〜４０個を含むものであるアルキルビニルエーテルおよびアリルアルキルエーテル、
（２）アルキル置換基が炭素原子１〜４０個を含むものである、アルキルアミンおよび炭素原子数３〜１０のモノエチレン性不飽和モノ又はジカルボン酸のＮ−アルキルアミド、
（３）炭素原子数１〜８のカルボン酸のＮ−ビニルカルボキサミド、
（４）Ｎ−ビニル置換窒素含有ヘテロ環化合物、および
（５）炭素原子２〜４０個を含む少なくとも一種の１−オレフィン、または炭素原子４〜３６０個を含み、かつビニル基、ビニリデン基またはアルキルビニリデン基またはそれらの混合物の形で共重合が可能な末端基を持つ少なくとも一種のポリオレフィン［ただし、用いるオレフィンは(ｉ)(ｂ)で用いるオレフィンと同一ではない］
（ii）化合物(ｉ)(ａ)と化合物(ｉ)(ｂ)とをフリーラジカル発生剤の存在下で反応させることにより得られた共重合体、
（iii）（ａ）：化合物(ｉ)(ａ)を化合物(ｉ)(ｂ)もしくは(ｉ)(ｃ)と、共重合体(ｉ)もしくは共重合体(ii)もしくは両者の存在下で、非ラジカル触媒反応により反応させることによって、または（ｂ）：共重合体(ｉ)もしくは共重合体(ii)もしくは両者を、化合物(ｉ)(ａ)と化合物(ｉ)(ｂ)もしくは(ｉ)(ｃ)との非ラジカル触媒反応生成物と接触させることによって得られた共重合体；
（Ｂ）エーテルポリアミン、ポリエーテルポリアミン、ポリエーテルアミノアルコール、ポリエーテルアミノチオールおよびポリエーテルポリオールからなる群より選ばれる少なくとも一種のエーテル化合物；および
（Ｃ）少なくとも一種の芳香族アミン；
を反応させることによって製造された油溶性の潤滑油添加剤組成物。
【請求項２】
上記共重合体(iii)(ｂ)に関して、共重合体(ｉ)もしくは共重合体(ii)もしくは両者を、成分(Ｃ)の存在下で、化合物(ｉ)(ａ)と化合物(ｉ)(ｂ)もしくは(ｉ)(ｃ)との非ラジカル触媒反応生成物と接触させる請求項１に記載の潤滑油添加剤組成物。
【請求項３】
エーテル化合物(Ｂ)がポリエーテルポリアミンである請求項１に記載の潤滑油添加剤組成物。
【請求項４】
ポリエーテルポリアミンが、各アルキレン単位が独立に炭素原子２〜５個を含むポリオキシアルキレンジアミンである請求項３に記載の潤滑油添加剤組成物。
【請求項５】
オキシアルキレン部がオキシエチレンもしくはオキシプロピレンもしくはそれらの混合物である請求項４に記載の潤滑油添加剤組成物。
【請求項６】
ポリエーテルポリアミンがポリオキシエチレンジアミンである請求項５に記載の潤滑油添加剤組成物。
【請求項７】
上記共重合体が共重合体(ｉ)である請求項１に記載の潤滑油添加剤組成物。
【請求項８】
上記共重合体が共重合体(ii)である請求項１に記載の潤滑油添加剤組成物。
【請求項９】
共重合体(ii)が、無水マレイン酸とポリイソブチレンとのフリーラジカル触媒反応により得られたポリＰＩＢＳＡである請求項８に記載の潤滑油添加剤組成物。
【請求項１０】
上記共重合体が共重合体(iii)である請求項１に記載の潤滑油添加剤組成物。
【請求項１１】
芳香族アミンが、Ｎ−アリールフェニレンジアミン、アミノカルバゾール、アミノ−インダゾリノン、アミノメルカプトトリアゾール、アミノペリミジンおよびアリールオキシフェニレンアミンからなる群より選ばれる請求項１に記載の潤滑油添加剤組成物。
【請求項１２】
芳香族アミンがＮ−アリールフェニレンジアミンである請求項１１に記載の潤滑油添加剤組成物。
【請求項１３】
Ｎ−アリールフェニレンジアミンがＮ−フェニルフェニレンジアミンである請求項１２に記載の潤滑油添加剤組成物。
【請求項１４】
共重合体(ｉ)の化合物(ｉ)(ｂ)が、数平均分子量（Ｍn）が２３００のポリイソブテンである請求項１に記載の潤滑油添加剤組成物。
【請求項１５】
(ｉ)(ａ)がジカルボン酸、その無水物もしくはエステルである請求項１に記載の潤滑油添加剤組成物。
【請求項１６】
(ｉ)(ａ)が無水マレイン酸もしくはそのエステルである請求項１５に記載の潤滑油添加剤組成物。
【請求項１７】
(ｉ)(ｃ)のモノオレフィンが１−オレフィンである請求項１に記載の潤滑油添加剤組成物。
【請求項１８】
主要量の潤滑粘度の油、および少量の請求項１乃至１７の内の何れかの項に記載の油溶性の潤滑油添加剤組成物を含む潤滑油組成物。
【請求項１９】
下記の成分を反応させることからなる潤滑油添加剤組成物の製造方法：
（Ａ）下記の共重合体のうちの少なくとも一種：
（ｉ）下記の成分をラジカル共重合させることにより得られた共重合体：
（ａ）モノエチレン性不飽和のＣ3−Ｃ28モノカルボン酸もしくはそのエステル、またはＣ4−Ｃ28ジカルボン酸、その無水物もしくはエステルのうちの少なくとも一種、
（ｂ）炭素原子２〜４０個を含む１−オレフィン、あるいは炭素原子４〜３６０個を含み、かつビニル基、ビニリデン基もしくはアルキルビニリデン基もしくはそれらの混合物の形の共重合可能な末端基を持つ少なくとも一種のポリオレフィンの少なくとも一種、および
（ｃ）上記(ａ)及び(ｂ)の単量体と共重合が可能で、かつ下記からなる群より選ばれる少なくとも一種のモノオレフィン化合物：
（１）アルキル基が、ヒドロキシル、アミノ、ジアルキルアミノもしくはアルコキシで置換されているか、あるいは未置換であって、かつ炭素原子１〜４０個を含むものであるアルキルビニルエーテルおよびアリルアルキルエーテル、
（２）アルキル置換基が炭素原子１〜４０個を含むものである、アルキルアミンおよび炭素原子数３〜１０のモノエチレン性不飽和モノ又はジカルボン酸のＮ−アルキルアミド、
（３）炭素原子数１〜８のカルボン酸のＮ−ビニルカルボキサミド、
（４）Ｎ−ビニル置換窒素含有ヘテロ環化合物、および
（５）炭素原子２〜４０個を含む少なくとも一種の１−オレフィン、または炭素原子４〜３６０個を含み、かつビニル基、ビニリデン基またはアルキルビニリデン基またはそれらの混合物の形で共重合が可能な末端基を持つ少なくとも一種のポリオレフィン［ただし、用いるオレフィンは(ｉ)(ｂ)で用いるオレフィンと同一ではない］
（ii）化合物(ｉ)(ａ)と化合物(ｉ)(ｂ)とをフリーラジカル発生剤の存在下で反応させることにより得られた共重合体、
（iii）（ａ）：化合物(ｉ)(ａ)を化合物(ｉ)(ｂ)もしくは(ｉ)(ｃ)と、共重合体(ｉ)もしくは共重合体(ii)もしくは両者の存在下で、非ラジカル触媒反応により反応させることによって、または（ｂ）：共重合体(ｉ)もしくは共重合体(ii)もしくは両者を、化合物(ｉ)(ａ)と化合物(ｉ)(ｂ)もしくは(ｉ)(ｃ)との非ラジカル触媒反応生成物と接触させることによって得られた共重合体；
（Ｂ）エーテルポリアミン、ポリエーテルポリアミン、ポリエーテルアミノアルコール、ポリエーテルアミノチオールおよびポリエーテルポリオールからなる群より選ばれる少なくとも一種のエーテル化合物；および
（Ｃ）少なくとも一種の芳香族アミン。
【請求項２０】
上記共重合体(iii)(ｂ)に関して、共重合体(ｉ)もしくは共重合体(ii)もしくは両者を、成分(Ｃ)の存在下で、化合物(ｉ)(ａ)と化合物(ｉ)(ｂ)もしくは(ｉ)(ｃ)との非ラジカル触媒反応生成物と接触させる請求項１９に記載の潤滑油添加剤組成物の製造方法。
【請求項２１】
主要量の潤滑粘度の油および有効量の請求項１に記載の潤滑油添加剤組成物を含む潤滑油組成物を用いて、内燃機関を作動させることからなる内燃機関内のススの分散性を改善する方法。